(57)【要約】【課題】計器ケースから表示ユニットを容易に取り外せて、表示ユニットの修理や交換を容易に行うことができる計器装置を提供する。【解決手段】計器装置１は、移動体の状況を示す情報を表示する表示ユニット２と、該表示ユニット２が取り付けられる計器ケース３とを備えている。表示ユニット２は、前記情報を表示面１０ａに表示する表示体１０と、該表示体１０を収容するケース本体１３と該ケース本体１３から突出した突出片１５とを有する収容ケース１２と、を備えている。計器ケース３は、移動体の乗員に相対する前面壁２１と該前面壁２１の外周縁から立設した周壁２２とを有するケース本体２０と、該ケース本体２０の前面壁２１から凹状で且つ内側に表示ユニット２を収容する収容部２３と、を備えている。収容部２３は、ケース本体２０の周壁２２に開口し且つ表示ユニット２をケース本体２０の前面壁２１に沿って挿入可能な開口部２６を有している。【選択図】図３
2010203876.tif 000002
【特許請求の範囲】
【請求項１】
移動体の状況を示す情報を表示する表示ユニットと、前記表示ユニットが取り付けられる計器ケースと、を有する計器装置において、
前記計器ケースは、前記移動体の乗員に相対する表面から凹状に形成され且つ内側に前記表示ユニットを収容する収容部を有しており、
前記収容部が、前記計器ケースの外周面に開口し且つ前記表示ユニットを前記計器ケースの表面に沿って挿入可能な開口部を有していることを特徴とする計器装置。
【請求項２】
前記計器ケースが、前記開口部を塞ぐように取り付けられて前記表示ユニットを前記収容部内に固定する固定部材を有していることを特徴とする請求項１に記載の計器装置。
【請求項３】
前記表示ユニットが、前記収容部に向かって突出する突出片を有し、
前記収容部が、前記表示ユニットの挿入方向に沿って延在するとともに、前記突出片が侵入して該突出片の移動を案内するガイド溝を有していることを特徴とする請求項２に記載の計器装置。
【請求項４】
前記収容部が、前記計器ケースの表面側の縁部に設けられるとともに、内側に前記表示ユニットを収容した際に、前記表示ユニットの前記乗員と相対する表面の少なくとも一部に重なる重なり部を有していることを特徴とする請求項２又は請求項３に記載の計器装置。
【請求項５】
前記固定部材が、計測量に応じて指針を回動させる出力軸を有する計器ユニットを内部に収容したケースと、前記ケースに取り付けられ且つ前記指針によって指示されて前記計測量を示す指標部を有する文字板と、前記ケースの前記乗員から離れた背面側に取り付けられ且つ前記計器ユニットを駆動するための駆動用基板と、を有するゲージ用表示計器であることを特徴とする請求項２乃至請求項４に記載の計器装置。
【発明の詳細な説明】
【技術分野】
【０００１】
本発明は、車両、船舶等の移動体に搭載される計器装置に関し、特に、所定の情報を表示する表示器を備えた計器装置に関する。
【背景技術】
【０００２】
車両、船舶などの移動体には、各種の計測手段が計測した複数の情報を移動体の乗員に対して表示する計器装置が搭載されている。この種の計器装置として、例えば、移動体としての車両の速度を表示するスピードメータやエンジン回転数を表示するタコメータ等の複数の表示計器を備えた車両用コンビネーションメータが用いられる。
【０００３】
前述した車両用コンビネーションメータは、複数の表示計器と、ウォーニングと、シフトインジケータと、前記表示計器等の表示部分以外を車両の乗員に対して遮蔽する見返し部材と、各種の電子部品等が実装されたプリント基板と、を計器ケース内に収容して、該計器ケースの乗員側を表ガラスで覆い且つ該計器ケースの乗員から離れた側を裏カバーで覆うことで、前記表示計器等を保護している。
【０００４】
前述した車両用コンビネーションメータには、乗員に斬新感を与える表示をするために、前記表示計器等の他に、走行距離等の車両の状態を示す種々の情報を表示する表示ユニットを備えた車両用コンビネーションメータ（例えば、特許文献１参照。）が提案されている。
【０００５】
特許文献１に開示された車両用コンビネーションメータの表示ユニットは、車両の状態を示す種々の情報が表示されるＬＣＤ（液晶ディスプレイ）と、該ＬＣＤを収容するＬＣＤケースと、該ＬＣＤケースに取り付けられ且つＬＣＤをＬＣＤケース内に保持するＬＣＤホルダと、表面にＬＣＤケースが取り付けられ且つ各種の電子部品等が実装されたＬＣＤ用基板と、該ＬＣＤ用基板とＬＣＤとを電気的に接続する接続部材（ＦＰＣ）と、を備えている。
【０００６】
前述した構成の車両用コンビネーションメータは、表示ユニットのＬＣＤ用基板を、プリント基板の表面に、該プリント基板と電気的に接続して取り付けることで、表示ユニットがプリント基板の表面に取り付けられる。そして、前記プリント基板を、表示ユニットのＬＣＤが計器ケースに設けられた開口部を介して車両の乗員側に露出した状態で、該計器ケース内に収容する。
【先行技術文献】
【特許文献】
【０００７】
【特許文献１】特開２００８−１０２３３６号公報
【発明の概要】
【発明が解決しようとする課題】
【０００８】
しかしながら、前述した特許文献１に開示された車両用コンビネーションメータは、表示ユニットが計器ケース内に収容されたプリント基板に取り付けられているため、表示ユニットの修理や交換が必要な場合に、表示ユニットを取り外すために車両用コンビネーションメータを構成する多くの部品を取り外す必要があり、表示ユニットを取り外すための作業工数が増加し、作業性が低下するという問題があった。
【０００９】
したがって、本発明は、上述した問題点に鑑み、計器ケースから表示ユニットを容易に取り外すことができ、表示ユニットの修理や交換を容易に行うことができる計器装置を提供することを課題としている。
【課題を解決するための手段】
【００１０】
前記課題を解決するために、請求項１に記載された発明は、移動体の状況を示す情報を表示する表示ユニットと、前記表示ユニットが取り付けられる計器ケースと、を有する計器装置において、前記計器ケースは、前記移動体の乗員に相対する表面から凹状に形成され且つ内側に前記表示ユニットを収容する収容部を有しており、前記収容部が、前記計器ケースの外周面に開口し且つ前記表示ユニットを前記計器ケースの表面に沿って挿入可能な開口部を有していることを特徴とする計器装置である。
【００１１】
請求項２に記載された発明は、請求項１に記載の発明において、前記計器ケースが、前記開口部を塞ぐように取り付けられて前記表示ユニットを前記収容部内に固定する固定部材を有していることを特徴とするものである。
【００１２】
請求項３に記載された発明は、請求項２に記載の発明において、前記表示ユニットが、前記収容部に向かって突出する突出片を有し、前記収容部が、前記表示ユニットの挿入方向に沿って延在するとともに、前記突出片が侵入して該突出片の移動を案内するガイド溝を有していることを特徴とするものである。
【００１３】
請求項４に記載された発明は、請求項２又は請求項３に記載の発明において、前記収容部が、前記計器ケースの表面側の縁部に設けられるとともに、内側に前記表示ユニットを収容した際に、前記表示ユニットの前記乗員と相対する表面の少なくとも一部に重なる重なり部を有していることを特徴とするものである。
【００１４】
請求項５に記載された発明は、請求項２乃至請求項４に記載の発明において、前記固定部材が、計測量に応じて指針を回動させる出力軸を有する計器ユニットを内部に収容したケースと、前記ケースに取り付けられ且つ前記指針によって指示されて前記計測量を示す指標部を有する文字板と、前記ケースの前記乗員から離れた背面側に取り付けられ且つ前記計器ユニットを駆動するための駆動用基板と、を有するゲージ用表示計器であることを特徴とするものである。
【００１５】
請求項１に記載された発明によれば、計器ケースの移動体の乗員に相対する表面から凹状に形成され且つ内側に表示ユニットを収容する収容部が、計器ケースの外周面に開口し且つ表示ユニットを計器ケースの表面に沿って挿脱可能な開口部を有しているので、計器ケースの外周面側から表示ユニットを収容部内に挿脱することができる。
【００１６】
請求項２に記載された発明によれば、計器ケースが、開口部を塞ぐように取り付けられて表示ユニットを収容部内に固定する固定部材を有しているので、固定部材を取り外すことによって、計器ケースの移動体の乗員側に取り付けられる複数の部品を取り外すこと無く、計器ケースの外周面側から表示ユニットを収容部内に挿脱することができる。
【００１７】
請求項３に記載された発明によれば、表示ユニットが収容部に向かって突出する突出片を有しているとともに、収容部が表示ユニットの挿入方向に沿って延在し且つ突出片が侵入して該突出片の移動を案内するガイド溝を有しているので、表示ユニットを収容部内にスムーズに挿入することができる。
【００１８】
請求項４に記載された発明によれば、収容部が、計器ケースの表面側の縁部に設けられるとともに、内側に表示ユニットを収容した際に、表示ユニットの乗員と相対する表面の少なくとも一部に重なる重なり部を有しているので、収容部内から表示ユニットが抜け出ることを防止することができる。
【００１９】
請求項５に記載された発明によれば、固定部材が、計測量に応じて指針を回動させる出力軸を有する計器ユニットを内部に収容したケースと、ケースに取り付けられ且つ指針によって指示されて計測量を示す指標部を有する文字板と、ケースの乗員から離れた背面側に取り付けられ且つ計器ユニットを駆動するための駆動用基板と、を有するゲージ用表示計器であるので、ゲージ用表示計器を計器ケースに取り付けることで表示ユニットの収容部内への固定が可能となる。
【発明の効果】
【００２０】
以上説明したように、請求項１に記載の発明は、計器ケースの外周面側から表示ユニットを収容部内に挿脱することができるので、計器ケースの移動体の乗員側に取り付けられる複数の部品を取り外すこと無く、表示ユニットを計器ケースから取り外すことができる。このため、表示ユニットの修理や交換を容易に行うことができる。また、表示ユニットを計器ケースに取り付ける際に、表示ユニットの移動体の状況を示す情報を表示する表示面に荷重がかかることを防止することができるため、表示面に損傷を与えることなく表示ユニットを計器ケースに取り付けることができる。
【００２１】
請求項２に記載の発明は、固定部材を取り外すことによって、計器ケースの移動体の乗員側に取り付けられる複数の部品を取り外すこと無く、計器ケースの収容部内に表示ユニットを挿脱することができるので、表示ユニットの計器ケースへの取り付け及び取り外しを容易に行うことができる。このため、表示ユニットの修理や交換を容易に行うことができる。
【００２２】
請求項３に記載の発明は、表示ユニットを収容部内にスムーズに挿入することができるので、表示ユニットを計器ケースに容易に取り付けることができる。このため、組み付け性の向上を図ることができる。
【００２３】
請求項４に記載の発明は、収容部内から表示ユニットが抜け出ることを防止することができるので、表示ユニットの計器ケースへの組み付け不良の発生を防止することができる。
【００２４】
請求項５に記載の発明は、ゲージ用表示計器を計器ケースに取り付けることで表示ユニットの収容部内への固定が可能となるので、部品点数及び組み付け工数の削減を図ることができる。
【図面の簡単な説明】
【００２５】
【図１】本発明の計器装置の正面を示す平面図である。
【図２】本発明の計器装置の概略構成を示す斜視図である。
【図３】図２に示された計器装置の表示ユニットと計器ケースとゲージ用表示計器を示す分解斜視図である。
【図４】図３に示す計器ケースに表示ユニットを取付けた状態を示す斜視図である。
【図５】図２に示された計器装置の計器ケースの変形例を示す斜視図である。
【図６】図５に示された計器装置の表示ユニットと計器ケースとゲージ用表示計器を示す分解斜視図である。
【図７】図６に示す計器ケースに表示ユニットを取付けた状態を示す斜視図である。
【発明を実施するための形態】
【００２６】
以下、本発明の一実施形態にかかる計器装置を図１乃至図４を参照して説明する。本発明の一実施形態にかかる計器装置１は、自動車等の移動体に搭載されて、この移動体の乗員に対して該移動体の状況を表示する装置である。
【００２７】
計器装置１は、図１又は図２に示すように、移動体の状況を示す各種情報を表示する表示ユニット２と、前記表示ユニット２が取り付けられる計器ケース３と、前記計器ケース３に取り付けられ且つ表示ユニット２の移動体の乗員側即ち前面側を覆う透明カバー４と、前記計器ケース３内に収容され且つ各種の電子部品等が実装されたプリント基板（図示せず）と、前記計器ケース３の移動体の乗員から離れた背面側を覆う裏カバー５（図３に示す）等を備えている。
【００２８】
なお、計器装置１は、図１に示すように、公知である車両用コンビネーションメータを構成する車両の速度を表示するスピードメータ６ａ、エンジンの回転数を表示するタコメータ６ｂ等の複数の指針式の表示計器６と、ウォーニング７とを、表示ユニット２の両側に配置する構成となっているが、本発明とは直接関係ないため、その説明は省略する。
【００２９】
表示ユニット２は、図３に示すように、方形状の表示体１０と、該表示体１０を照明するバックライトユニット１１と、表示体１０と前述したプリント基板とを電気的に接続する接続ケーブル（図示せず）と、表示体１０とバックライトユニット１１とを積層した状態で収容する収容ケース１２と、を備えている。
【００３０】
表示体１０は、背面側からの光が透過可能な周知であるＬＣＤ（液晶ディスプレイ）、ＴＦＴ液晶（薄膜トランジスタ）、ＤＳＴＮ（Double Super Twisted Nematic）液晶等が用いられる。表示体１０は、接続ケーブルを介して前述したプリント基板に設けられた制御ユニット（図示せず）と電気的に接続されている。表示体１０は、制御ユニットの制御によって、シフトポジション、走行距離、平均速度などの移動体の状態を示す情報を表示面１０ａに表示する。
【００３１】
バックライトユニット１１は、表示体１０の移動体の乗員から離れた背面側に対向するように設けられている。バックライトユニット１１は、周知であるＬＥＤや蛍光管等の各種光源が用いられる。バックライトユニット１１は、前述したプリント基板と電気的に接続される。そして、バックライトユニット１１は、表示体１０が表示を行う際に、前記制御ユニットの制御によって点灯して、表示体１０を透過させるための光、即ち表示体１０を発光させるための光を発する。
【００３２】
接続ケーブルは、周知である薄型のＦＦＣ（フレキシブル・フラット・ケーブル）やＦＰＣ（フレキシブル・プリント・サーキット）等が用いられる。接続ケーブルは、一端部が表示体１０と電気的に接続され且つ他端部が前述したプリント基板の制御ユニットと電気的に接続されている。
【００３３】
収容ケース１２は、絶縁性の合成樹脂で構成され、ケース本体１３と、該ケース本体１３から突出した突出片１５と、を備えている。ケース本体１３は、表示体１０及びバックライトユニット１１を内側に収容可能な箱状に形成されている。また、ケース本体１３には、表示体１０の表示面１０ａを移動体の乗員に対して露出させる露出窓１４が設けられている。
【００３４】
突出片１５は、帯板状で且つケース本体１３の外表面から前述した計器ケース３に向かって突設されている。突出片１５は、ケース本体１３から離れた先端部１５ａが該ケース本体１３の外側に向かって折り曲げられて、側方から見てＬ字状に形成されている。また、突出片１５は、ケース本体１３に複数設けられており、ケース本体１３の外周に沿って互いに間隔をあけ且つ平行に配されている。
【００３５】
そして、前述した複数の突出片１５は、計器ケース３の後述する収容部２３のガイド溝２７内に侵入して、表示ユニット２を前記収容部２３内に正しい向きで挿入させる。また、複数の突出片１５は、それぞれ、先端部１５ａに貫通孔１６が設けられている。この貫通孔１６には、図示しないねじが通されて、該ねじによって複数の突出片１５が計器ケース３の後述するケース本体２０に固定される。
【００３６】
計器ケース３は、合成樹脂等から形成されており、図３に示すように、ケース本体２０と、内側に表示ユニット２を収容する収容部２３と、固定部材としてのゲージ用表示計器２９と、を備えている。
【００３７】
ケース本体２０は、移動体の乗員に相対する前面壁２１と、この前面壁２１の外周縁から車両の乗員から離れる方向に延びた周壁２２とを備えている。ケース本体２０は、乗員から離れた背面側に開口する箱状に形成されている。周壁２２は、ケース本体２０の外郭を形成する。なお、前記前面壁２１は、特許請求の範囲に記載の計器ケースの表面に相当し、前記周壁２２は、計器ケースの外周面に相当する。
【００３８】
収容部２３は、ケース本体２０の前面壁２１の略中央に設けられている。収容部２３は、ケース本体２０の前面壁２１から凹状に形成されており、前記前面壁２１と平行に設けられた底壁２４と、該底壁２４と前面壁２１とを連結する側壁２５とを備えている。また、収容部２３には、開口部２６と、ガイド溝２７と、一対の突部２８と、が設けられている。
【００３９】
開口部２６は、図３に示すように、ケース本体２０の収容部２３の図中上方に位置する前面壁２１及び周壁２２が切り欠かれて、収容部２３内から周壁２２の外側に向かって開口して形成されている。開口部２６は、収容部２３の内側とケース本体２０の周壁２２の外側とを連通している。そして、開口部２６は、表示ユニット２を、計器ケース３のケース本体２０の周壁２２側から収容部２３内に、ケース本体２０の前面壁２１に沿って挿入可能にする。
【００４０】
ガイド溝２７は、図３に示すように、収容部２３の底壁２４から凹状に形成され且つ複数設けられている。ガイド溝２７は、表示ユニット２の挿入方向Ｓに沿って延在しているとともに、互いに間隔をあけ且つ平行に配されている。そして、ガイド溝２７には、前述した表示ユニット２の突出片１５が侵入して、収容部２３内に表示ユニット２を正しい向きで挿入させる。
【００４１】
一対の突部２８は、収容部２３の幅方向（図３中左右方向）に相対する側壁２５，２５に、互いに相対して設けられている。一対の突部２８は、それぞれ、側壁２５の前面壁２１側の縁部から互いに近づく方向に突設されている。即ち、一対の突部２８は、それぞれ、側壁２５の前面壁２１側の縁部から収容部２３の内側に向かって突出している。一対の突部２８は、収容部２３内に表示ユニット２を収容した際に、該表示ユニット２の表面に重なるように設けられている。なお、一対の突部２８は、特許請求の範囲に記載の重なり部に相当する。
【００４２】
ゲージ用表示計器２９は、図１に示すように、エンジンの冷却水の温度を表示するテンパラチャゲージ２９ａと、燃料の残量を表示するフューエルゲージ２９ｂとを有して構成されている。ゲージ用表示計器２９は、図４に示すように、ケース３０と、該ケース３０の乗員側に取り付けられる文字板３４と、該文字板３４の乗員側に配される複数の指針３６ａ，３６ｂと、計器ユニットとしての複数のムーブメント（図示せず）と、前記ケース３０内に収容された駆動用基板３９と、を備えている。
【００４３】
ケース３０は、合成樹脂等から形成されており、図４に示すように、移動体の乗員に相対する前面壁３１と、この前面壁３１の外周縁から車両の乗員から離れる方向に延びた周壁３２とを備えている。ケース３０は、乗員から離れた背面側に開口し且つ内側に複数のムーブメント及び駆動用基板３９を収容可能な箱状に形成されている。このケース３０は、前述した収容部２３の開口部２６を塞ぐように該開口部２６内に収容可能な形状に形成されている。
【００４４】
また、ケース３０には、周壁３２の前面壁３１から離れた側の外周縁から外周方向に突設された複数の固定片３３が設けられている。複数の固定片３３には、貫通孔３３ａが設けられており、この貫通孔３３ａに図示しないねじが通されて、該ねじによって計器ケース３のケース本体２０に固定される。
【００４５】
文字板３４は、透光性の合成樹脂等からなり、平板状に形成されている。文字板３４は、表面（乗員側の面）に冷却水温度及び燃料残量を示す目盛及び数字、文字又は記号等からなる複数の指標部３４ａ，３４ｂが設けられている。複数の指標部３４ａ，３４ｂは、それぞれ、各指針３６ａ，３６ｂの回動許容範囲に対応するように略円弧状に形成されている。文字板３４は、各ムーブメントの後述する出力軸が挿通される複数の通し孔（図示せず）が貫通して形成されている。
【００４６】
また、前述した文字板３４には、前述した表示ユニット２の表面を覆う見返し部３５が設けられている。この見返し部３５には、表示ユニット２の表示体１０の表示面１０ａを移動体の乗員に対して露出させる露出部３５ａが貫通して形成されている。
【００４７】
複数の指針３６ａ，３６ｂは、それぞれ、中心軸となる基端部３７と、該基端部３７から直線状に延び且つ前述した指標部３４ａ，３４ｂを指示する指示部３８とを備えている。複数の指針３６ａ，３６ｂは、それぞれ、各指標部３４ａ，３４ｂの中央部に基端部３７が位置した状態で、ムーブメントの出力軸に取り付けられて、該出力軸と一体となって回転する。そして、複数の指針３６ａ，３６ｂは、各ムーブメントによって回動されて、指標部３４ａ，３４ｂと協働して計測量を表示する。
【００４８】
ムーブメントは、駆動用基板３９に取り付けられて、移動体に搭載された燃料残量及び冷却水温度等の計測手段（図示せず）と接続されている。ムーブメントは、前記計測手段が計測した計測量に応じて回転する出力軸を備えている。そして、ムーブメントは、出力軸が前述した文字板３４の通し孔を通されて、駆動用基板３９に取り付けられてケース３０内に収容されている。
【００４９】
駆動用基板３９は、可撓性を有していない比較的硬質な材料からなり、平板状に形成されている。駆動用基板３９は、前述した指標部３４ａ，３４ｂ及び指針３６ａ，３６ｂ等を照明する複数のＬＥＤ（図示せず）と、ムーブメントと、これら複数のＬＥＤ及びムーブメント等の動作を制御するためのマイコン等の電子部品等が実装されている。
【００５０】
前述した構成のゲージ用表示計器２９は、前述した開口部２６を塞ぐように取り付けられて、表示ユニット２を収容部２３内に固定するとともに、文字板３３の見返し部３５が表示ユニット２の表示面１０ａ以外を乗員に対して遮蔽する。
【００５１】
透明カバー４は、透明性を有する樹脂等から形成されている。透明カバー４は、計器ケース３のケース本体２０の移動体の乗員側即ち前面側に取り付けられる。そして、透明カバー４は、表示ユニット２、表示計器６、ウォーニング７及びゲージ用表示計器２９等を覆って、計器装置１内へ埃等が侵入するのを防ぐ。
【００５２】
プリント基板は、可撓性を有さない比較的硬質な材料からなり且つ略矩形の平板状に形成されている。プリント基板は、表示ユニット２の表示体１０やバックライトユニット１１等の動作を制御するための制御ユニット等の各種の電子部品等が実装されている。そして、プリント基板は、前述した計器ケース３のケース本体２０の前面壁２１と略平行に配されて、計器ケース３内に収容される。
【００５３】
裏カバー５は、合成樹脂等からなり、平板状に形成されている。裏カバー５は、計器ケース３のケース本体２０の移動体の乗員から離れた側即ち背面側に取り付けられて、該ケース本体２０の開口を閉塞する。
【００５４】
以下に、前述した構成の計器装置１の表示ユニット２を計器ケース３に組み付ける方法を説明する。
【００５５】
まず、図３に示すように、予め収容ケース１２内に表示体１０とバックライトユニット１１とを積層した状態で収容し且つ接続ケーブルを収容ケース１２から導出させた状態に表示ユニット２を組み立てておくとともに、文字板３４をケース３０の乗員側に取り付けて、複数の指針３６ａ，３６ｂを各ムーブメントの出力軸に取り付けて文字板３４の乗員側に配し且つケース３０内に駆動用基板３９を収容して、ゲージ用表示計器２９を組み立てておく。
【００５６】
次に、図４に示すように、表示ユニット２を計器ケース３のケース本体２０の開口部２６と相対させて、表示ユニット２を開口部２６からケース本体２０の前面壁２１に沿って挿入して、収容部２３内に表示ユニット２を収容する。このとき、表示ユニット２の複数の突出片１５が収容部２３のガイド溝２７内に侵入して、表示ユニット２を前記収容部２３内に正しい向きで挿入させる。
【００５７】
そして、表示ユニット２の接続ケーブルの他端部を計器ケース３内のプリント基板の制御ユニットに電気的に接続するとともに、表示ユニット２の複数の突出片１５の貫通孔１６に図示しないねじを通して、該ねじによって複数の突出片１５を計器ケース３のケース本体２０に固定する。
【００５８】
続いて、ゲージ用表示計器２９を計器ケース３のケース本体２０の図中上方に位置付けて、内側に表示ユニット２が収容された収容部２３の開口部２６と相対させる。そして、図２に示すように、ゲージ用表示計器２９を収容部２３の開口部２６を塞ぐように、該開口部２６内に取り付ける。このとき、ゲージ用表示計器２９の文字板３４の見返し部３５が、表示ユニット２の表示面１０ａ以外を乗員に対して遮蔽する。
【００５９】
そして、ゲージ用表示計器２９の複数の固定片３３の貫通孔３３ａに図示しないねじを通して、該ねじによって複数の固定片３３を計器ケース３のケース本体２０に固定する。
【００６０】
こうして、計器ケース３のケース本体２０の収容部２３内に表示ユニット２を収容するとともに、ゲージ用表示計器２９によって表示ユニット２を収容部２３内に固定することで、表示装置１の表示ユニット２を計器ケース３に組み付けられる。
【００６１】
本実施形態によれば、計器ケース３の移動体の乗員に相対する前面壁２１から凹状に形成され且つ内側に表示ユニット２を収容する収容部２３が、計器ケース３の周壁２２に開口し且つ表示ユニット２を計器ケース３の前面壁２１に沿って挿脱可能な開口部２６を有しているので、計器ケース３の周壁２２側から表示ユニット２を収容部２３内に挿脱することができる。
【００６２】
このため、計器ケース３の移動体の乗員側に取り付けられる透明カバー４、表示計器６及びウォーニング７等の複数の部品を取り外すこと無く、表示ユニット２を計器ケース３から取り外すことができる。したがって、表示ユニット２の修理や交換を容易に行うことができる。
【００６３】
また、表示ユニット２を計器ケース３に取り付ける際に、表示ユニット２の移動体の状況を示す情報を表示する表示面１０ａに荷重がかかることを防止することができるため、表示面１０ａに損傷を与えることなく表示ユニット２を計器ケース３に取り付けることができる。
【００６４】
さらに、計器ケース３が、開口部２６を塞ぐように取り付けられて表示ユニット２を収容部２３内に固定する固定部材としてのゲージ用表示計器２９を有しているので、ゲージ用表示計器２９を取り外すことによって、計器ケース３の移動体の乗員側に取り付けられる透明カバー４、表示計器６及びウォーニング７等の複数の部品を取り外すこと無く、計器ケース３の周壁２２側から表示ユニット２を収容部２３内に挿脱することができる。このため、表示ユニット２の計器ケース３への取り付け及び取り外しを容易に行うことができ、表示ユニット２の修理や交換を容易に行うことができる。
【００６５】
また、表示ユニット２が収容部２３に向かって突出する突出片１５を有しているとともに、収容部２３が表示ユニット２の挿入方向に沿って延在し且つ突出片１５が侵入して該突出片１５の移動を案内するガイド溝２７を有しているので、表示ユニット２を収容部２３内にスムーズに挿入することができる。このため、表示ユニット２を計器ケース３に容易に取り付けることができ、組み付け性の向上を図ることができる。
【００６６】
さらに、収容部２３が、計器ケース３の前面壁２１側の縁部に設けられるとともに、内側に表示ユニット２を収容した際に、表示ユニット２の乗員と相対する表面の少なくとも一部に重なる突部２８を有しているので、収容部２３内から表示ユニット２が抜け出ることを防止することができる。このため、表示ユニット２の計器ケース３への組み付け不良の発生を防止することができる。
【００６７】
また、固定部材としてのゲージ用表示計器２９が、計測量に応じて指針を回動させる出力軸を有する計器ユニットを内部に収容したケース３０と、ケース３０に取り付けられ且つ指針３６ａ，３６ｂによって指示されて計測量を示す指標部３４ａ，３４ｂを有する文字板３４と、ケース３０の乗員から離れた背面側に取り付けられ且つ計器ユニットを駆動するための駆動用基板３９と、を有しているので、ゲージ用表示計器２９を計器ケース３に取り付けることで、表示ユニット２の収容部２３内への固定が可能となるため、部品点数及び組み付け工数の削減を図ることができる。
【００６８】
前述した本実施形態では、計器装置１は、表示ユニット２が挿入される開口部２６が計器ケース３の収容部２３の図３中上方側に配されて構成されていた。しかしながら、本発明では、図５乃至図７に示すように、開口部２６’を計器ケース３の収容部２３の図中下方側に配して構成されていても良い。
【００６９】
そして、図５乃至図７に示す場合では、計器装置１の表示ユニット２を計器ケース３に組み付ける際には、まず、ゲージ用表示計器２９を計器ケース３のケース本体２０の図中下方に位置付けて、内側に表示ユニット２が収容された収容部２３の開口部２６’と相対させて、該開口部２６’を塞ぐように、ゲージ用表示計器２９が開口部２６’内に取り付けられる。
【００７０】
このように上述した実施例は本発明の代表的な形態を示したに過ぎず、本発明は、実施形態に限定されるものではない。即ち、本発明の骨子を逸脱しない範囲で種々変形して実施することができる。
【符号の説明】
【００７１】
１    計器装置
２    表示ユニット
３    計器ケース
１５    突出片
２１    前面壁（表面）
２２    周壁（外周面）
２３    収容部
２６    開口部
２７    ガイド溝
２８    突部（重なり部）
２９    ゲージ用表示計器（固定部材）
Ｓ      挿入方向
【図１】
2010203876.tif 000003
【図２】
2010203876.tif 000004
【図３】
2010203876.tif 000005
【図４】
2010203876.tif 000006
【図５】
2010203876.tif 000007
【図６】
2010203876.tif 000008
【図７】
2010203876.tif 000009